(57)【要約】【課題】連動型データ放送番組において、生放送のようなの送出スケジュールが決められない場合でも、映像・音声情報を認識して自動的に適切なデータ放送番組を選択して放送する。【解決手段】複数の映像音声情報入力を切り替える切り替え手段と、映像音声情報からメタデータを抽出するメタデータ抽出手段と、メタデータから対応するコンテンツを生成するコンテンツ生成手段と、コンテンツを送出する送出手段と、映像音声情報をエンコード手段と、映像音声とデータ放送コンテンツを多重化する多重化手段で連動データ放送番組制作送出システムを構成する。【選択図】　図１
2004048430.tif 000002
【特許請求の範囲】
【請求項１】
テレビ放送に連動させて関連するデータ放送コンテンツを制作して送出する連動データ放送番組制作送出システムにおいて、
複数の映像音声情報入力を切り替える切り替え手段と、映像音声情報の特徴を認識してメタデータを抽出するメタデータ抽出手段と、抽出したメタデータから連動データ放送番組に使用するコンテンツを生成するコンテンツ生成手段と、コンテンツをデータ放送伝送フォーマットに変換して送出する送出手段と、映像音声情報を映像音声伝送フォーマットに変換するエンコード手段と、映像音声伝送フォーマットとデータ放送伝送フォーマットの各データを多重化する多重化手段とを備えることを特徴とする連動データ放送番組制作送出システム。
【請求項２】
前記メタデータ抽出手段は、映像音声情報の特徴を認識してメタデータを出力する認識手段と、メタデータを内部メタデータ形式に変換する変換テーブル記憶手段と、前記認識手段が出力したメタデータで変換テーブル記憶手段から対応する内部メタデータに変換する変換手段から構成されることを特徴とする請求項１記載の連動データ放送番組制作送出システム。
【請求項３】
前記コンテンツ生成手段は、予め作成したコンテンツを記憶するコンテンツ記憶手段と、前記メタデータ抽出手段が抽出した内部メタデータをキーワードにして前記コンテンツ記憶手段に記憶されたコンテンツを選択するコンテンツ選択手段から構成することを特徴とする請求項１または請求項２記載の連動データ放送番組制作送出システム。
【請求項４】
前記コンテンツ生成手段は、前記変換手段が生成した内部メタデータでコンテンツの一部を置き換えて連動データ放送番組を自動生成する自動生成手段を備えることを特徴とする請求項３記載の連動データ放送番組制作送出システム。
【請求項５】
前記コンテンツ生成手段は、予め作成したイベントメッセージを記憶するイベントメッセージ記憶手段と、前記イベントメッセージ記憶手段に記憶されたイベントメッセージを選択するイベントメッセージ選択手段から構成することを特徴とする請求項４記載の連動データ放送番組制作送出システム。
【請求項６】
前記送出手段は、前記コンテンツ生成手段によりコンテンツが生成されてから一定期間だけコンテンツを送出することを特徴とする請求項５記載の連動データ放送番組制作送出システム。
【請求項７】
映像音声情報入力を切り替えるタイミングとイベントメッセージを出力するタイミングを制御する切り替えスケジューラを備えることを特徴とする請求項６記載の連動データ放送番組制作送出システム。
【発明の詳細な説明】
【０００１】
【発明の属する技術分野】
本発明は、デジタル放送のリアルタイム型データ放送サービスにおけるデータ放送とテレビ番組の映像音声が連動した連動型データ放送番組の自動制作送出システムに関する。
【０００２】
【従来の技術】
２０００年１２月からＢＳデジタル放送が始まっているが、２００２年春からは１１０度ＣＳデジタル放送、２００３年から地上波デジタル放送が予定されている。
【０００３】
これらのデジタル放送ではインタラクティブなサービスを行うためのコンテンツの放送、いわゆるデータ放送サービスも実施される。その方式は電波産業会（ＡＲＩＢ）にて規格化されている。ＡＲＩＢ規格の詳細は、「デジタル放送におけるデータ放送符号化方式と伝送方式　ＡＲＩＢ　ＳＴＤ−Ｂ２４　第二編　ＸＭＬベースのマルチメディア符号化方式」、「同付属１　運用に関するガイドライン」、「同付属２　基本サービス実施のための運用ガイドライン」、「ＢＳ放送運用規程　ＡＲＩＢ　ＴＲ−Ｂ１５」などに詳述されており、今後は携帯型テレビや移動型テレビ向けの運用ガイドラインも策定される予定である。
【０００４】
従来、テレビ番組の映像音声とデータ放送が連動して送出されるような連動型データ放送番組の場合、データ放送コンテンツを何時何分から何時何分まで放送するか予め編成スケジュール情報を編成システムに登録しておく必要があった。
【０００５】
【発明が解決しようとする課題】
したがって、生放送のような作り置きができない場合に課題があった。例えば、野球の実況中継において、解説者が「松井選手」に関して解説している一定期間だけ松井選手の詳細情報を送出することができれば放送帯域を有効活用できるが、このような運用をするためには従来はコンテンツの送出タイミングや送出レート制御を人間が操作する必要があったため、運用コストが大きくなるという課題があった。したがって、本システムでは、映像や音声を認識して自動的に関連するデータ放送コンテンツを制作して、送出することにより、低コストで連動型データ放送番組を自動制作できる連動型データ放送番組自動制作送出システムを提供することを目的とする。
【０００６】
【課題を解決するための手段】
上記課題を解決するため、請求項１の連動型データ放送番組自動制作送出システムは、複数の映像音声情報入力を切り替える切り替え手段と、映像音声情報の特徴を認識してメタデータを抽出するメタデータ抽出手段と、抽出したメタデータから連動データ放送番組に使用するコンテンツを生成するコンテンツ生成手段と、コンテンツをデータ放送伝送フォーマットに変換して送出する送出手段と、映像音声情報を映像音声伝送フォーマットに変換するエンコード手段と、映像音声伝送フォーマットとデータ放送伝送フォーマットの各データを多重化する多重化手段とを備える。
【０００７】
また、請求項２の連動型データ放送番組自動制作送出システムは、前記メタデータ抽出手段において、映像音声情報の特徴を認識してメタデータを出力する認識手段と、メタデータを内部メタデータ形式に変換する変換テーブル記憶手段と、前記認識手段が出力したメタデータで変換テーブル記憶手段から対応する内部メタデータに変換する変換手段を備える。
【０００８】
また、請求項３の連動型データ放送番組自動制作送出システムは、前記コンテンツ生成手段において、予め作成したコンテンツを記憶するコンテンツ記憶手段と、前記メタデータ抽出手段が抽出したメタデータをキーワードにして前記コンテンツ記憶手段に記憶されたコンテンツを選択するコンテンツ選択手段を備える。
【０００９】
また、請求項４の連動型データ放送番組自動制作送出システムは、前記変換手段が生成した内部メタデータでコンテンツの一部を置き換えて連動データ放送番組を自動生成する自動生成手段を備える。
【００１０】
また、請求項５の連動型データ放送番組自動制作送出システムは、前記コンテンツ生成手段において、予め作成したイベントメッセージを記憶するイベントメッセージ記憶手段と、前記イベントメッセージ記憶手段に記憶されたイベントメッセージを選択するイベントメッセージ選択手段を備える。
【００１１】
また、請求項６の連動型データ放送番組自動制作送出システムは、前記送出手段において、前記コンテンツ生成手段によりコンテンツが生成されてから一定期間だけコンテンツを送出する。
【００１２】
また、請求項７の連動型データ放送番組自動制作送出システムは、映像音声情報入力を切り替えるタイミングとイベントメッセージを出力するタイミングを制御する切り替えスケジューラを備える。
【００１３】
【発明の実施の形態】
（実施の形態１）
以下、本発明に係る連動データ放送番組制作送出システムの実施の形態１について、図面を参照しながら説明する。
【００１４】
図１は、本実施の形態の一つを示すブロック図である。この連動データ放送番組制作送出システムは、切り替え部１０１と、メタデータ抽出部１０２と、コンテンツ生成部１０３と、送出部１０４と、エンコード部１０５と、多重化部１０６とを備えている。
【００１５】
図２は、メタデータ抽出部１０２とコンテンツ生成部１０３の内部構成を含む全体の構成図である。メタデータ抽出部１０２は、認識部１０７と変換テーブル記憶部１０８と変換部１０９を示す。コンテンツ生成部１０３は、コンテンツ記憶部１１０と、コンテンツ選択部１１１と、コンテンツ合成部１１２と、イベントメッセージ記憶部１１３と、イベントメッセージ選択部１１４から構成される。
【００１６】
切り替え部１０１は、外部接続された映像音声入力情報を分配し、エンコード部１０５と認識部１０７に出力する。映像音声入力が切り替わった場合は、イベントメッセージ選択部１１４にトリガーを出力する。
【００１７】
認識部１０７は、画像音声認識手段としては米国Ｖｉｒａｇｅ，ＩｎｃのＶｉｒａｇｅ　ＶｉｄｅｏＬｏｇｇｅｒなどの既存の画像音声認識システムで構成する。これはビデオ映像から出演者の顔、画面に表示されているテキスト、音声、話し手の名前をテキスト情報に変換する。
【００１８】
変換テーブル記憶部１０８は、認識部１０７が生成するメタデータをコンテンツ生成部１０３が理解できる内部メタデータ形式に変換するための変換テーブルを持つ。制作者が更新可能である。
【００１９】
変換部１０９は、変換テーブルを使って、コンテンツ選択部１１１が理解できるメタデータを生成する。
【００２０】
コンテンツ記憶部１１０は、コンテンツとコンテンツを選択するためのインデックス情報を保持する。制作者が更新可能である。
【００２１】
コンテンツ選択部１１１は、変換部１０９が出力した内部メタデータとコンテンツ記憶部１１０のインデックス情報を比較し、対応するコンテンツを選択する。なお、対応するコンテンツの候補が複数存在する場合は、制作者に選択させる構成としてもよい。
【００２２】
コンテンツ合成部１１２は、内部メタデータが合成用素材データを含む場合、コンテンツの一部を内部メタデータで置き換えて送出部１０４に送る。合成用素材データを含まない場合は、そのまま送出部１０４に送る。
【００２３】
イベントメッセージ記憶部１１３は、イベントメッセージとイベントメッセージを選択するためのインデックス情報を記憶する。制作者が更新可能である。
【００２４】
イベントメッセージ選択部１１４は、変換部１０９が出力した内部メタデータとインデックス情報を比較し、対応するイベントメッセージを選択する。
【００２５】
送出部１０４は、従来のデジタル放送システムと同等の機能を持つデータ放送送出システムで構成する。
【００２６】
エンコード部１０５は、ＭＰＥＧ２−ＴＳ形式のリアルタイムエンコーダで構成される。
【００２７】
多重化部１０６は、エンコード部１０５によってエンコードされたＡＶデータと送出部１０４によって生成されたデータ放送のＴＳを多重化する従来のシステムで構成される。
【００２８】
以上のような構成を持つ連動データ放送番組制作送出システムについて、野球の実況中継を例に連動データ放送番組が制作されて送出されるまでの動作を図３を使って詳細に説明する。
【００２９】
地上波テレビ放送局のキー局から配信された野球中継の映像音声データが切り替え部１０１に入力されると、エンコード部１０５と認識部１０７に分配される（ステップＳ１００）。ステップ１０１に進む。
【００３０】
認識部１０７では入力された映像音声情報を解析し、メタデータを出力する（ステップＳ１０１）。ここでは、野球中継の解説者が「松井選手の今シーズンの成績です」と発言した場合を考える。認識部１０７では、音声情報から図５のようなメタデータが得られる。ステップ１０２に進む。
【００３１】
ステップ１０２において、変換部１０９では、メタデータが変換テーブルに存在するか判定する。存在する場合は、Ｓ１０３において変換テーブルに従ってメタデータを内部メタデータに変換する。
【００３２】
図７に変換テーブルの一実施例を示す。図７において、
＜内部メタデータ＞というタグは、１つの内部メタデータ変換項目を表す。
【００３３】
＜入力キーワード＞というタグは、認識部１０７によって生成されたメタデータと内部メタデータを対応づけるキーワードを示す。このキーワードは複数個設定可能である。図７の２行目の例では、「まついせんしゅ」と「まついがいやしゅ」の２つのキーワードが設定されている。＜内部メタデータ＞タグの中に１つ存在する。
【００３４】
＜検索キーワード＞というタグは、コンテンツ記憶部１１０に記憶されているコンテンツを検索するのに使用するインデックス情報である。図７の３行目の例では、「松井選手」という検索キーワードを持ち、コンテンツ記憶部１１０に「松井選手」というインデックス情報を持つコンテンツが格納されていた場合には、それがコンテンツ選択部１１１で選択される。＜内部メタデータ＞タグの中に１つ存在する。
【００３５】
＜置き換えデータ群＞というタグは、コンテンツ記憶部１１０に記憶されているコンテンツの一部が置き換え可能な情報を含むデータの場合、このタグの内部に設定された情報を用いて置き換えることを示す。＜内部メタデータ＞タグの中に０または１つ存在する。
【００３６】
＜ファイル＞というタグは、置き換え可能な情報を含むファイル名を示す。図７の９行目の例では、ファイル名は「他球場の経過．ｂｍｌ」である。＜置き換えデータ群＞タグの中に１つ以上存在する。
【００３７】
＜ｐａｒａｍ＞というタグは、置き換える情報を示す。図７の１０行目の例では、ｉｄが１で示されるデータを文字列「甲子園球場　阪神中日戦」で置き換えることを示す。＜ファイル＞タグの中に１つ以上存在する。
【００３８】
図５には、図７の２行目の入力キーワードである「まついせんしゅ」という語句が含まれるので、変換部１０９は検索キーワードとして「松井選手」を含む内部メタデータをコンテンツ選択部１１１に出力する。
【００３９】
ステップ１０４において、コンテンツ選択部１１１は検索キーワード「松井選手」を用いてコンテンツ記憶部１１０を検索する。ここでは、コンテンツ記憶部１１０には検索キーワード「松井選手」、「阪神中日戦」、に対応するコンテンツを保持する場合を考える。コンテンツ記憶部１１０では「松井選手」と実際のコンテンツの格納パスが対応づけられて保存されている。「松井選手」に対応するコンテンツをコンテンツ合成部１１２に出力する。ステップ１０５に進む。
【００４０】
ステップ１０５において、コンテンツ合成部１１２はコンテンツがテンプレートファイルを含むかを判定する。検索キーワードとして「松井選手」を含む内部メタデータは、置き換えが必要なテンプレートファイルを含まないため、ステップ１０７に進む。
【００４１】
ステップ１０７において、送出部１０４は、登録されたコンテンツをデータ放送用伝送フォーマット形式に変換し、制作者により予め決められた時間だけ多重化部１０６に出力する。データ放送用伝送フォーマット形式は、電波産業会発行のＡＲＩＢーＳＴＤ　Ｂ２４および関連規格書に準拠する。
【００４２】
エンコード部１０５では、切り替え部１０１から分配された映像音声データをデジタル放送で使用する伝送フォーマット形式に変換し、多重化部１０６に出力する。フォーマットの詳細に関しては、電波産業会発行のＡＲＩＢーＳＴＤ　Ｂ２４および関連規格書に準拠する。
【００４３】
これにより、松井選手の成績データが伝送されるので、視聴者はデータボタンを押すことで松井選手の成績を画面上に表示することができる。
【００４４】
次に別の例として、野球中継の解説者が「阪神中日戦は現在４回表を終わって」と発言した場合を考える。この場合は、図６のメタデータが認識部１０７で生成される。
【００４５】
ステップ１０１から１０２までは前述と同様に処理される。
【００４６】
ステップ１０３において、図７の５行目から１４行目までの内部メタデータに変換される。
【００４７】
ステップ１０４おいて、コンテンツ選択部１１１は検索キーワード「阪神中日戦」を用いてコンテンツ記憶部１１０を検索する。ここでは、コンテンツ記憶部１１０には検索キーワード「松井選手」、「阪神中日戦」に対応するコンテンツを保持するため、「阪神中日戦」に対応するコンテンツをコンテンツ合成部１１２に出力する。検索キーワード「阪神中日戦」に対応するコンテンツは図１０の１０００と１００１である。ステップ１０５に進む。
【００４８】
ステップ１０５おいて、内部メタデータは＜置き換えデータ群＞タグを含むため、テンプレートファイルを含む。テンプレートファイルのファイル名は”他球場の経過．ｂｍｌ”である。これは１０００である。
【００４９】
ステップ１０６において、ファイル名”他球場の経過．ｂｍｌ”で示されるファイルにおいて、ｉｄ＝”１”で識別されるデータを”甲子園球場　阪神中日戦”で置き換える。また、ｉｄ＝”２”で識別されるデータをｄａｔａ＝”ｉｎｄｅｘ．ｂｍｌ”で置き換える。置き換えた結果が１００２で示される画面である。
【００５０】
他球場の経過．ｂｍｌでは、下線付文字列「甲子園球場　阪神中日戦」は阪神中日戦の結果を表示するコンテンツへのリンクボタンを表す。そのＵＲＩが”ｉｎｄｅｘ．ｂｍｌ”である。このｉｎｄｅｘ．ｂｍｌは、”他球場の経過．ｂｍｌ”が阪神中日戦の情報の場合は、それに連動して放送される。ｉｎｄｅｘ．ｂｍｌを示す画面が１００３である。
【００５１】
これにより、視聴者はデータボタンを押すことで他球場の経過を知らせるメニュー画面を表示することができる。
【００５２】
置き換えは従来の自動合成装置で実行される。自動合成処理自体は本特許の主題とは異なるので詳細な説明を省略する。これにより、話題に上った情報へのリンクで既存のコンテンツを更新できるので、常に解説者が話す内容に連動したデータ放送コンテンツを自動的に制作送出できる。
【００５３】
ステップ１０７は前述と同じ為説明を省略する。
【００５４】
図１１は、前記のシステムによる映像音声データとデータ放送との連動に関して示した模式図である。１９時１５分１５秒までは映像音声データ１とデータ放送１を放送していたが、１９時１５分１５秒から１９時１５分１７秒に前述の解説者の発言があったため、データ放送１からデータ放送２のコンテンツの放送に更新したことを示す。
【００５５】
次にここでは、野球中継を中断してニュースを伝える場合を例に番組に連動した自動イベントメッセージ送出に関して説明する。
【００５６】
図４はそのフローチャートである。
【００５７】
イベントメッセージ処理は、切り替え部１０１において映像音声入力経路が別の映像音声入力経路に切り替わった時、例えば、ＶＴＲからの入力がインターネットからの入力に切り替わった時、もしくは、コンテンツ選択部１１１でコンテンツが選択された時に開始され、トリガーをイベントメッセージ選択部１１４に出力する（ステップＳ２００およびステップ２０１）。
【００５８】
ステップ２０２において、イベントメッセージ選択部１１４はトリガーの種類に応じてイベントメッセージ記憶部１１３からイベントメッセージデータを選択する。この実施の形態では、トリガーの種類としては、コンテンツ選択部１１１からのトリガーと切り替え部１０１からのトリガーの２種類が存在する。
【００５９】
ステップ２０３において、イベントメッセージを送出部１０４に登録する。
【００６０】
送出部１０４では、データをＡＲＩＢで規定されたイベントメッセージ伝送フォーマットに変換して多重化部に送出する。多重化部１０６では映像音声、データ放送、イベントメッセージを多重して放送する。
【００６１】
切り替え部１０１からのトリガーでは、現在送出中のデータ放送コンテンツの送出をストップするのに用いられる。
【００６２】
コンテンツ選択部１１１からのトリガーでは、新しいコンテンツを取得するように受信機に対して命令するイベントメッセージを送出するのに用いられる。
【００６３】
図１２は、切り替え部１０１において、映像音声入力経路が切り替わった時の映像音声データとデータ放送コンテンツの連動に関する模式図である。１２００は１９時２８分００秒からは映像音声データ１とデータ放送１を放送していることを表す。１２０１は１９時３４分０２秒から映像音声データがニュースのため入力が切り替わったことを表す。
【００６４】
１２０２は臨時ニュースに対応するコンテンツがコンテンツ選択部１１１で選択されたため、トリガーがイベントメッセージ部１１４に送信され、かつ、コンテンツがデータ放送２の放送に切り替わったことを示す。
【００６５】
以上のように、映像音声データから特徴を抽出してそれに対応するデータ放送コンテンツを一定時間放送することで連動データ放送番組を自動制作できる。
【００６６】
なお、検索キーワードに対応するコンテンツが複数存在した場合は、候補を制作者に表示させて選択できるように構成してもよい。そうすることでより多くのコンテンツに適用できるようになる。
【００６７】
また、従来の制作システムのように合成素材データは外部から取得できるような構成できることはいうまでもない。この場合、テレビ放送に連動して自動的に合成素材データを取得してデータ放送コンテンツを生成し、送出することができる。
【００６８】
また、本実施の形態のような音声だけでなく、映像を認識させてメタデータを抽出し、そのデータに基づいて連動型データ放送コンテンツを送出できることはいうまでもない。そうすることで、より柔軟にテレビ放送とデータ放送を連動させることができる。
【００６９】
また、トリガーの種類は２種類に限定されるものでなく、選択されたコンテンツに応じてトリガー切り替えることで３種類以上のイベントメッセージを切り替えて送出できるように構成してもよい。そうすることでより多彩なコンテンツを実現することができる。
【００７０】
メタデータをキーワードにしたデータの伝送制御のパターンは、本実施の形態だけでなく、図８に示すパターンも使用できる。
【００７１】
伝送制御パターンの▲１▼は、認識キーワードが何になっても常時特定のモジュールが伝送される場合である。
【００７２】
▲２▼は、特定の認識キーワードが認識されたときに対応するモジュールが伝送される場合である。
【００７３】
▲３▼は、特定の認識キーワードが認識されたときにモジュールを入れ替える場合である。
【００７４】
▲４▼は、特定の認識キーワードが認識されたときにモジュール間の送出優先順位を変更する場合である。
【００７５】
▲５▼は、特定の認識キーワードが認識されたときにモジュール内の一部または全部のデータを修正した後、そのデータを伝送する場合である。
【００７６】
▲６▼は、特定の認識キーワードが認識されたときにモジュール内の一部または全部のデータを修正した後、そのデータを伝送し、かつ、そのデータのリンク先のデータを含むモジュールも伝送する場合である。
【００７７】
本実施の形態は、伝送制御パターン▲２▼と▲６▼に相当する。
【００７８】
（実施の形態２）
以下、本発明に係る連動データ放送番組制作送出システムの実施の形態２について、図面を参照しながら説明する。
【００７９】
図１３は、その構成を示し、実施の形態１の構成に加え、切り替えスケジューラ１１５を含む。
【００８０】
切り替えスケジューラ１１５は、映像音声を切り替えるスケジュールを管理する。例えば、ボタンを押してから３秒後に第１の映像・音声から第２の映像音声に切り替える指示を切り替え部１０１に指示する。そして、ボタンを押した直後にトリガーをイベントメッセージ選択部１１４に出力する。
【００８１】
図１４は、コマーシャルメッセージ（以下、ＣＭと略す）などのように、決められた時間内に必ず提示を終了しなければならないコンテンツの処理方法を説明した図である。
【００８２】
１４００は画面表示の移り変わりを時間軸に沿って、図示している。左から右に画面表示は変わる。１４０１は、映像コンテンツと関連するデータ放送コンテンツの送出タイミングを示している。
【００８３】
今、図１４の１４００に示すように本編映像１と本編映像１の関連情報が表示されている状態からＣＭ１の映像に切り替わる場合を考える。
【００８４】
本編映像１からＣＭ１映像に切り替え直前、直前とは予め決められた時間、例えば、切り替え３秒前に、切り替えスケジューラ１１５に従ってトリガーをイベントメッセージ選択部１１４に出力する。イベントメッセージ選択部１１４は、データ放送コンテンツ表示消去用のイベントメッセージを選択する。と同時に送出部１０４は本編映像１関連情報の送出を終了する。
【００８５】
受信機側では、イベントメッセージを受信後、本編１関連情報の表示を終了する。切り替えスケジューラ１１５からのトリガーに従って切り替え部１０１は本編映像１からＣＭ１映像に切り替える。この結果、受信機側は、本編映像１からＣＭ１映像に切り替わる。
【００８６】
次に、ＣＭ１映像の内容をメタデータ抽出部１０２で認識し、コンテンツ生成部１０３により、ＣＭ１関連情報が生成されるので、送出部１０４経由で送出される。
【００８７】
これにより、受信機側では、ＣＭ１映像とＣＭ１関連情報が画面上に同時表示される。認識可能なオブジェクトが表示されるまでＣＭ１関連増情が送出されないため、ＣＭ１映像の表示よりもＣＭ１関連情報の表示が遅れる。この時、本編１関連情報の表示を終了して、ＣＭ１関連情報を表示するコンテンツは、ＢＳデジタル放送のデータ放送コンテンツ制作技術者ならモジュールバージョンアップ等を駆使すれば容易に制作可能なため、ここでの詳細な説明を省略する。以後のデータ放送コンテンツの表示切り替えに関しても同様である。
【００８８】
次に、ＣＭ１からＣＭ２映像に切り替え直前に切り替えスケジューラ１１５に従ってトリガーをイベントメッセージ選択部１１４に出力する。イベントメッセージ選択部１１４がデータ放送コンテンツ表示消去用イベントメッセージを送出する。と同時にＣＭ１関連情報の送出を終了する。これにより、受信機側では、イベントメッセージを受信後、ＣＭ１関連情報の表示を消去する。切り替えスケジューラ１１５からのトリガーに従って切り替え部１０１はＣＭ１からＣＭ２映像に切り替える。受信機側で映像は、ＣＭ映像１からＣＭ２映像に切り替わる。
【００８９】
次に、ＣＭ２映像の内容をメタデータ抽出部１０２で認識し、コンテンツ生成部１０３により、ＣＭ２関連情報が生成されるので、送出部１０４経由で送出される。これにより、受信機側では、ＣＭ２映像とＣＭ２関連情報が画面上に同時表示される。
【００９０】
次に、ＣＭ２から本編映像２への切り替え直前に切り替えスケジューラ１１５に従ってトリガーをイベントメッセージ選択部１１４に出力する。イベントメッセージ選択部１１４がデータ放送コンテンツ表示消去用イベントメッセージを送出する。と同時にＣＭ２関連情報の送出を終了する。これにより、受信機側では、イベントメッセージを受信後、ＣＭ２関連情報の表示が消去される。切り替えスケジューラ１１５からのトリガーに従って切り替え部１０１はＣＭ２から本編映像２に切り替える。受信機側で映像は、ＣＭ２から本編映像２に切り替わる。
【００９１】
次に、本編２映像の内容をメタデータ抽出部１０２で認識し、コンテンツ生成部１０３により、本編２関連情報が生成されるので、送出部１０４経由で送出される。これにより、受信機側では、本編２映像と本編２関連情報が画面上に同時表示される。
【００９２】
以上のように、ＣＭのような前に表示されていたデータが後に続くＣＭにかぶさって表示されることが許されないような場合でも、切り替えスケジューラで切り替わる直前のタイミングを管理し、適切なタイミングでトリガーを流してイベントメッセージを送出制御することで、データ放送コンテンツの表示を終了できるので自動的に連動番組データ放送コンテンツを作成して送出することができる。
【００９３】
なお、上記ではコンテンツがイベントメッセージを受信することでＣＭの表示オブジェクトの表示を消す制御をするように構成したが、イベントメッセージは受信せずに、他の方法で消すようにしても良い。例えば、タイマーで表示オブジェクトの表示を消すようにコンテンツに記述して、ＣＭの時間経過後、消えたように見せることにより実現しても良い。このようなタイマーを開始させるトリガーとなるイベントメッセージはＣＭ消去時刻直前に放送局から送信することは言うまでのない。
【００９４】
また、次のように制御しても良い。まず、ＣＭをＣＭ時間より前に送出し、受信機側で予め蓄積する。この時、ＣＭは表示しない状態にしておく。ＣＭ時間が始まったら、イベントメッセージでＣＭを表示するように制御する。この場合、ＣＭの表示をＣＭ映像の切り替えと同時に行いたい場合に好適である。
【００９５】
【発明の効果】
映像音声データから特徴を抽出して、その特徴に対応するデータ放送コンテンツを一定時間放送することで連動データ放送番組を自動制作できる。そのため、例えば、生放送でも連動型データ放送番組を簡単に運用できる。また、キー局から送られた番組の一部やＣＭのデータ放送コンテンツ部分を地方局で自動的に差し替えることができるため、人的な運用コストを削減することができる。さらに、映像と連動したコンテンツを作成してＨＤＤなどの蓄積媒体に作り置きしておく場合でも、連動のタイミングが自動的に設定されるため、制作コスト低減のため有用である。また、イベントメッセージ送出タイミング管理により、他のコンテンツの時間帯まではみ出して表示されるのを防ぐことができるため、ＣＭのように他のコンテンツとの重複表示が許されない場合でも、自動的に連動番組データ放送コンテンツを作成して送出することができる。
【図面の簡単な説明】
【図１】本発明の実施の形態における連動データ放送番組制作送出システムの構成を示すブロック図
【図２】本発明の実施の形態における連動データ放送番組制作送出システムの構成を示すブロック図
【図３】本発明の実施の形態における連動データ放送番組制作送出処理を示すフローチャート
【図４】本発明の実施の形態におけるイベントメッセージ送出処理を示すフローチャート
【図５】本発明の実施の形態における認識データを示す模式図
【図６】本発明の実施の形態における認識データを示す模式図
【図７】本発明の実施の形態における変換テーブル情報を示す模式図
【図８】認識キーワードと伝送制御パターンを示す図
【図９】コンテンツの画面例を示す図
【図１０】コンテンツの画面例と置き換えを示す図
【図１１】本発明の実施の形態におけるデータ放送コンテンツの送出切り替えを示す模式図
【図１２】本発明の実施の形態における映像音声入力経路が切り替わった時の映像音声データとデータ放送コンテンツの連動に関する模式図
【図１３】本発明の実施の形態における連動データ放送番組制作送出システムの構成を示すブロック図
【図１４】本発明の実施の形態におけるデータ放送コンテンツの送出切り替えと画面表示の切り替えを示す模式図
【符号の説明】
１０１　切り替え部
１０２　メタデータ抽出部
１０３　コンテンツ生成部
１０４　送出部
１０５　エンコード部
１０６　多重化部
１０７　認識部
１０８　変換テーブル記憶部
１０９　変換部
１１０　コンテンツ記憶部
１１１　コンテンツ選択部
１１２　コンテンツ合成部
１１３　イベントメッセージ記憶部
１１４　イベントメッセージ選択部
１１５　切り替えスケジューラ
５００　認識結果メタデータ
６００　認識結果メタデータ
７００　変換テーブル
１０００　コンテンツの画面例
１００１　コンテンツの画面例
１００２　コンテンツの画面例
１００３　コンテンツの画面例
１１００　テレビ放送とデータ放送のタイミングの例
１２００　テレビ放送とデータ放送のタイミングの例
１２０１　テレビ放送とデータ放送のタイミングの例
１２０２　テレビ放送とデータ放送のタイミングの例
１４００　画面表示の切り替わりの例
１４０１　データ放送コンテンツの送出タイミングの例
【図１】
2004048430.tif 000003
【図２】
2004048430.tif 000004
【図３】
2004048430.tif 000005
【図４】
2004048430.tif 000006
【図５】
2004048430.tif 000007
【図６】
2004048430.tif 000008
【図７】
2004048430.tif 000009
【図８】
2004048430.tif 000010
【図９】
2004048430.tif 000011
【図１０】
2004048430.tif 000012
【図１１】
2004048430.tif 000013
【図１２】
2004048430.tif 000014
【図１３】
2004048430.tif 000015
【図１４】
2004048430.tif 000016